(57)【要約】      （修正有）【課題】鋳物などの料理容器のふたに具備される蒸気排出手段を通じて排出される蒸気に含有された味付け等が蒸気排出手段を具備する構成要素の間に挟まるようになりながら発生される非衛生的な問題点と蒸気排出手段の操作が難しくなる問題点と組み立て過程で多くの部品の使用による問題点を解消するためのものを提供する。【解決手段】硝子または鋳物で製造される容器ふた１０の中央の上側に取手のレバが形成される結合孔の外側に排出孔１２をさらに形成して、結合孔は緊密に密封されるように取手のレバと結合するようにして排出孔１２のみを通じて料理時に発生される味付け等が含有された蒸気を排出するようにして、取手のレバ下端には排出部が形成された開閉板３０が回転されながら排出孔１２を開閉するようにしたものである。この時、排出孔１２の開閉のためのガイドの表示部を形成して、正確な位置に簡単に合わせることができるようにしたものである。【選択図】図３
2014131740.tif 000002
【特許請求の範囲】
【請求項１】
料理容器を覆ってやるふた１０の中央に取手２０を形成するノブ２１を固定するための結合孔１１が形成されて、ノブ２１をふた１０の内側で絞り要素１４で絞り固定するようになるものにおいて、
前記結合孔１１の外側には一定距離が離隔されて排出孔１２が穿孔されて、前記排出孔１２を取手２０のノブ２１の下端で回転される開閉板３０が遮蔽するように形成して、
前記開閉板３０はふた１０の中央に位置されて、ふた１０と堅固に固定されるノブ２１の下部で緊密に結合されながらも回転が容易であるようにするために開閉板３０の中央には一定深さの内入部３３を形成して、内入部３３のわく底には下敷面３４を形成して、下敷面の中央には貫通孔３５が形成されて、ノブ２１の下端と絞り結合される絞り要素１４が貫通されながらノブ２１の下端と緊密に固定されて開閉板３０が緊密に回転するようになって、
前記開閉板３０には開閉板によって遮蔽するようになる排出孔１２を通じて排出される味付け等が含有された蒸気を排出することができる排出口３１を有する排出流路３２を具備するようにすることを特徴とする構造が簡単で洗滌が容易な料理容器ふたに装着された蒸気排出装置。
【請求項２】
前記ノブ２１の下端には開閉板３０の内入部３３に内入されるように下向き突き出される結合突部２２を形成して、結合突部２２が内入部３３に内入された状態で結合突部２２の下端が下敷面３４に下敷するようにして、結合突部２２の中央には絞り要素１４と絞りされて、ふた１０と結合するようにするための絞り孔２４を有する差込突部２３が形成されることを特徴とする請求項１に記載の構造が簡単で洗滌が容易な料理容器ふたに装着された蒸気排出装置。
【請求項３】
前記開閉板３０の回転を調節するために開閉板の中央に形成された内入部３３に内入される結合突部２２にはストッパ３６ａを形成して、内入部の内壁には内入面２６を形成して前記内入面２６にストッパが収容されるようにした後、開閉板３０を左右に回転するようにすれば、内入面２６の左右壁２６ａ、２６ｂに係止されながら簡単に回転範囲を調節ながら開閉を容易にすることを特徴とする請求項２に記載の構造が簡単で洗滌が容易な料理容器ふたに装着された蒸気排出装置。
【発明の詳細な説明】
【技術分野】
【０００１】
本発明は、鋳物などの手段で製作される料理容器の函体を覆ってやるふたに蒸気排出手段を具備するにおいて、前記蒸気排出手段を通じて排出される蒸気に含有された味付け等が蒸気排出手段を具備する構成要素の間に挟まるようになりながら発生される非衛生的な問題点と蒸気排出手段の操作が難しくなる問題点と組み立て過程での多い部品の使用による問題点を解消するためのものである。
【背景技術】
【０００２】
現在本発明のような用途で使われる鋳物など(ダイキャスティングやステンレス製品や硝子などの一定な重量を有する製品に適用される)の手段で製作される料理容器は、料理時に函体を覆ってやるふたの重量によって食べ物を加熱して料理する場合に発生される蒸気と共に味付け等がふたを容易に押し出すことができなくて、一定な圧力を維持するようになることで味を向上させるようになるものである。
しかし、このようなものの短所は、低い圧力ではふたの重量であふれることが防止されるが、一定圧力以上に上昇されれば瞬間的なあふれによって料理を台無しにするようになることはもちろん、加熱のためのガス火が任意的に消えるようになって、ややもするとガス事故等の原因になっているというものである。
したがって、このような料理容器のふたには、大部分一定な圧力に対応して蒸気を排出することができる蒸気排出装置を装着するようになるものである。
しかし、このようなものなどの短所は、蒸気排出装置が大部分ふたに装着される取手に形成されるようになって、このような取手はふたの中央に形成されて、また取手の装着のためにはふたの中央に穴を形成するようになることで、大部分このような穴を活用して蒸気排出のための装置を装着したものである。
しかし、このような場合に常に開かれている場合には料理の味が喪失されて、大部分開閉のための手段を具備するようになるものである。
したがって、これのために大部分ふたの内側に位置されて取手を構成するノブ１００と連結装着されるキャップ２００には容器函体の内部と外部への通気が可能になるように通気口２１０を形成して、キャップは取手のノブと絞り要素３００で絞り結合されてノブ１００の下端には通気路を形成した後、このような通気路を塞いでくれるか、または開いてくれるようになりながら蒸気の排出を調節するための開閉板が形成されるものである。
また、このような開閉板は、大部分取手を構成するレバと流動されるように形成されるものであり、開閉板には一側方に排出口が形成されるものであり、このような開閉板はふたの上面に緊密に密着されるものである。
したがって、料理時に発生される蒸気と蒸気に含有される味付け等がふたの取手が結合される穴を通じて上昇されて、このような上昇はふたの内側に取手を形成するレバの固定のために装着される通気口を有するキャップを通じて上昇するようにされながら開閉板の回転によって開閉板の側方に形成された排出口を通じて排出されることで、このような排出流路に形成される通気口を有するキャップと回転される開閉板の間との側方に延長される排出口を通過しながら蒸気に含有された味付け等に含まれる異物らが挟まるようになって、このようなものなどは蒸気の圧力によって微細な隙間に入るようになることで、洗滌時に手軽く洗滌されることができないというものである。
したがって、このようなものなどが凝固されながら結局には、非衛生的な状態を提供するようになって、また開閉板が容易に回転されることができないなどの原因になるというものである。
【先行技術文献】
【特許文献】
【０００３】
【特許文献１】韓国実用新案登録第２０-４５６８３７号
【特許文献２】韓国実用新案登録第２０-４５６８７９号
【発明の概要】
【発明が解決しようとする課題】
【０００４】
したがって本発明は、蒸気排出装置の蒸気排出のための排出路を変化させて、部品を簡素化して組み立てが容易であるようにして、構造の簡素化で従来の問題点を解消するようにしたものである。
【課題を解決するための手段】
【０００５】
これのために硝子または鋳物で製造される容器ふたの中央の上側に取手のレバが形成される結合孔の外側に排出孔をさらに形成して、結合孔は緊密に密封されるように取手のレバと結合するようにして、排出孔のみを通じて料理時に発生される味付け等が含有された蒸気を排出するようにして、取手のレバ下端には排出部が形成された開閉板が回転されながら排出孔を開閉するようにしたものである。
この時、排出孔の開閉のためのガイドのための表示部を形成して正確な位置に簡単に合わせることができるようにしたものである。
【発明の効果】
【０００６】
したがって本発明は、部品を最小化しながらも簡単な構造で組み立てされて、製造及び組み立てが容易であって、簡単な操作によって料理時に容器函体の内部で発生された味付けが含有された蒸気を排出するようにしながら、このような排出路には異物が挟まらないようにするか、または差込時にも洗滌が容易であるようにして衛生的に使用することができるものである。
【図面の簡単な説明】
【０００７】
【図１】本発明の蒸気排出装置が装着された一実施例の外観斜視図である。
【図２】本発明の蒸気排出装置構造を示した分解斜視図である。
【図３】本発明の回転板の回転作動で排出部が開閉される作動断面図である。.
【図４】本発明の回転板の調節状態の断面図である。
【図５】本発明の回転板の調節構図のまた他の一実施例の分解図である。
【図６】図５の回転板の作動による排出口の開閉状態図である。
【図７】本発明の回転板のまた他の回転調節状態の断面図である。
【図８】従来の蒸気排出装置の構造を示して斜視図である。
【発明を実施するための形態】
【０００８】
以下、添付図面を参照して本発明を詳しく説明すれば次のようである。
図１乃至図４に示されたところのように本発明の蒸気排出装置は、料理容器函体を覆ってやるふた１０の中央に取手２０を形成するノブ２１を固定するための結合孔１１が形成されてノブ２１をふた１０の内側で絞り要素１４で絞り固定するようにして、前記結合孔１１の外側には一定距離が離隔されて排出孔１２が穿孔されて、前記排出孔１２を取手２０のノブ２１の下端で回転される開閉板３０を遮蔽するように形成して、前記開閉板３０には排出孔１２を通じて排出される味付け等が含有された蒸気を排出することができる排出口３１を有する排出迂路３２を具備するものである。
この時、料理容器ふた１０の上側に露出するように位置された取手２０のノブ２１の結合は、ノブ２１の下部をふた１０の結合孔１１に緊密に差込されて絞り要素１４でふた１０の内側で任意的な抜けが防止されるように必要時にワッシャなどを使って絞り固定するようにするか、またはノブ２１の下端をふた１０の結合孔１１の上面に位置するようにした後、絞り要素１４で絞られるようにして固定するものである。
この時、絞り要素１４の固定は、絞り要素１４で結合された状態でふた１０の結合孔１１に異物が差込されないように緊密に固定するようにするというものであり、これのために多様な方式が使用可能であることはもちろんであり、このようなものが本発明の目的を制限するものではない。
その後、ふた１０の上面に露出されるノブ２１の下部には、回転可能に開閉板３０を形成するものであり、開閉板３０はふた１０の上面と緊密に密着されるものである。
また、開閉板３０が回転される場合に開閉板３０がふた１０を占有する範囲内に形成される排出孔１２は、開閉板３０と緊密に密着されることで排出孔１２を塞いでくれるようになって、開閉板３０を回転させれば排出孔１２が露出されながら排出するようにするものである。
すなわち、開閉板３０がふた１０の上面に緊密に密着されることで、回転時に開閉板３０の一定位置には排出口３１が形成される排出流路３２を形成することで、開閉板３０の排出流路３２がふた１０の排出孔１２と一致しながら蒸気の排出が可能になるものである。
この時、前記開閉板３０はふた１０の中央に位置されて、ふた１０と堅固に固定されるノブ２１の下部で緊密に結合されながらも回転が容易であるようにするために開閉板３０の中央には一定深さの内入部３３を形成して、内入部３３のわく底には下敷面３４を形成して下敷面の中央には貫通孔３５が形成されてノブ２１の下端と絞り結合される絞り要素１４が貫通されながらノブ２１の下端と緊密に固定されて開閉板３０が緊密に回転されるものである。
この時、ノブ２１の下端にも開閉板３０の内入部３３に内入されるように下向き突き出される結合突部２２を形成して結合突部２２が内入部３３に内入された状態で結合突部２２の下端が下敷面３４に下敷するようにして、結合突部２２の中央には絞り要素１４と絞りされて、ふた１０と結合するようにするための絞り孔２４を有する差込突部２３が形成されるものである。
この時、差込突部２３は、開閉板３０の貫通孔３５に挟まれるようになりながら絞り要素１４によってふた１０と任意的な分離が不可能でありながらも気密が維持されるように緊密に結合固定されるものである。
したがって、開閉板３０は、このような結合構造によって回転時にノブ２１と遊隙がなしに正確な回転が誘導されるものである。
また、蒸気排出のために開閉板３０に形成された排出流路３２をふた１０の排出孔１２と一致するようにする場合に、開閉板３０の回転半径を最小化しながらも使用者の操作が容易であるようにふた１０の上面に表示部１３を形成する場合に排出流路３２をふた１０の上面に形成された表示部１３と一致させれば簡単に操作が可能なものである。
また、この時左右回転調節のためと、もうすこし便利性を追い求めるために、内入部３３に内入される結合突部２２にはストッパ２６を形成して、これとかみ合う開閉板３０の内入部３３には一側を切開して一定な面積を有するように内入面３８を形成して、ストッパ２６が内入面３８に収容されるようにした後、開閉板３０を左右に回転するようにすれば内入面３８の左右壁３８ａ、３８ｂに係止されながら簡単に回転範囲を調節ながら開閉を容易であるようにするものである。
また、このような取手２０を形成するノブ２１を射出成形時に成型の容易性と原価低減のために結合突部２２を差込突部２３と離隔されるように管体で形成して、管体で形成された結合突部２２の一部を切開して切開部２５を形成した後、切開部２５の中央に開閉板３０の下敷面３４に突き出されるようにストッパ３６を形成した後、前記ストッパ３６が切開部２５内に収容されるようにした後に開閉板３０を回転すれば、ストッパ３６が切開部２５の左右壁２５ａ、２５ｂに係止されるようにされながら回転幅を取り締まって同一な目的を達成することができるようになるものである。
したがって、ふた１０に取手２０のノブ２１が結合される結合孔１１以外に排出孔１２をさらに穿孔するようにして穿孔された排出孔１２を開閉膜３０を利用して開閉するようにすることで、前記に詳述したところのように簡単な構造でありながら、蒸気排出のための作動が容易なことはもちろん、生産原価を節減しながらも使用後に異物の差し込まれによる洗滌が容易いで衛生的に使用することができるようになるものである。
また、開閉板３０の上面には突き出されたリブ３７を形成して開閉板の回転操作を容易にすることはもちろん、デザイン性を優秀にさせるものである。
【符号の説明】
【０００９】
１０  料理容器ふた
１１  結合孔
１２  排出孔
１３  表示部
１４  絞り要素
２０  取手
２１  ノブ
２２  結合突部
２３  差込突部
２４  絞り孔
２５  切開部
２６  内入面
３０  開閉板
３１  排出口
３２  排出流路
３３  内入部
３４  下敷面
３５  貫通孔
３６  ストッパ
３７  リブ
３８  内入面
【図１】
2014131740.tif 000003
【図２】
2014131740.tif 000004
【図３】
2014131740.tif 000005
【図４】
2014131740.tif 000006
【図５】
2014131740.tif 000007
【図６】
2014131740.tif 000008
【図７】
2014131740.tif 000009
【図８】
2014131740.tif 000010